(57)【要約】【課題】壁への取付が簡単に素早く行うことができ、毒餌の入れ替えや点検もシロアリに大きなストレスを与えることなく簡単に行うことが可能なシロアリ駆除装置を提供する。【解決手段】上部が開口する平枠状又は平箱状のベース部材２と、ベース部材２に脱着可能に装着される毒餌収納部材３とを備えていることとする。これによって、シロアリ駆除装置１を壁等に設置する場合には、まずベース部材２を設置した後に毒餌収納部材３をワンタッチで取り付けることができるため、シロアリ駆除装置１の設置作業を迅速に行うことができ、シロアリに対するストレスを小さくできる。また、毒餌の点検作業時にも、毒餌収納部材３の脱着がワンタッチでできるため、点検作業を迅速に行うことができ、シロアリに対するストレスを小さくできる。【選択図】　　　　　図２
2004135551.tif 000002
【特許請求の範囲】
【請求項１】
上部が開口する平枠状又は平箱状のベース部材と、
前記ベース部材に脱着可能に装着される毒餌収納部材と、
を備えていることを特徴とするシロアリ駆除装置。
【請求項２】
前記毒餌収納部材は筒状に形成されており、前記毒餌収納筒の開口部に脱着可能に装着される筒蓋を備えていることを特徴とする請求項１記載のシロアリ駆除装置。
【発明の詳細な説明】
【０００１】
【発明の属する技術分野】
本発明は、家屋の壁や基礎、柱等のシロアリ被害箇所又は蟻道に直接設置してシロアリを誘引し毒餌を用いて駆除するために使用されるシロアリ駆除装置に関する。
【０００２】
【従来の技術】
従来より、家屋の壁や基礎、柱等に存在するシロアリを、誘引剤等によって誘き寄せ、毒餌を捕食させてシロアリを駆除するシロアリ駆除装置が知られている（例えば、特許文献１参照）。
【０００３】
図８は従来のシロアリ駆除装置を壁に取り付ける際の取付状態を表す斜視図である。
図８において、従来のシロアリ駆除装置１０１は、壁１００に螺子止めによって取り付けられる方形状の毒餌収納枠１０２と、毒餌収納枠１０２に収納されるシロアリ駆除剤が含まれた毒餌１０３が落下しないように抑える抑板１０４と、毒餌収納枠１０２の開口面を閉蓋する枠蓋１０５とを有している。
【０００４】
このようなシロアリ駆除装置１０１を壁１００に設置する場合には、作業者は、まず設置する壁にある蟻道を、毒餌収納枠１０２の幅だけ壊す。次に、毒餌収納枠１０２の壁１００に接する側の部分であって、蟻道の入り口に相当する部分の枠の端部に、蟻道の幅分だけニッパ等により切欠きを形成する。そして、蟻道の入り口と前記切欠き部分とが連通するように、毒餌収納枠１０２を壁１００に押し当てて手で保持する。
【０００５】
そうしておいて、作業者は毒餌収納枠１０２内に毒餌１０３を入れた後、抑板１０４を嵌め込んで毒餌１０３を抑える。そして、最後に、毒餌収納枠１０２の開口部に枠蓋１０２を嵌め込んで、枠蓋１０５の２隅に設けられた螺子穴１０５ａ，１０５ｂ及び毒餌収納枠１０２の２隅に設けられた螺子穴１０２ａ，１０２ｂを通して、螺子により毒餌収納枠１０２及び枠蓋１０５を壁１００に固定する。
【０００６】
このようにして蟻道１０６の間にシロアリ駆除装置１０１を設置すると、シロアリは、蟻道を通ってシロアリ駆除装置１０１の内部に侵入してくる。そして、シロアリ駆除装置１０１内の毒餌１０３を見つけると、それを捕食する。そして、シロアリは、この毒餌１０３に含まれたシロアリ駆除剤を捕食することにより、駆除される。
【０００７】
【特許文献１】
特表２０００−５０９９８２号公報
【０００８】
【発明が解決しようとする課題】
しかしながら、シロアリ駆除装置を壁に設置する際には、蟻道の一部を壊してからシロアリ駆除装置を蟻道中に設ける必要がある。その際、破壊した蟻道の入り口から乾燥した外気が蟻道中に流入したり、蟻道内に光が差し込んで、蟻道の温度が上昇したりする。
【０００９】
一方、シロアリは非常に警戒心が強く、蟻道の環境の変化によってストレスを受けやすい。従って、シロアリ駆除装置を蟻道中に設置する際に、作業に手間取ってシロアリが大きなストレスを受けた場合、シロアリはその蟻道を放棄したり、破壊された蟻道部分を迂回して新たな蟻道を形成する場合がある。
【００１０】
図９はシロアリ駆除装置を設置する時、蟻道を壊しすぎたり、設置するのに時間を掛けすぎて、シロアリにストレスを与えすぎたために、シロアリが蟻道を放棄した場合と新たな蟻道を迂回して形成した場合を示す図である。
シロアリ駆除装置の設置作業の際に、蟻道内にいるシロアリに大きなストレスが加わった場合や、シロアリ駆除装置を設置した際に隙間ができで、蟻道内に乾燥した外気が流入するようになったり、蟻道内に光が差し込んで温度が上昇する等の大きな環境の変化が生じた場合、図９（ａ）に示すように、シロアリは破壊された蟻道の入り口を塞ぎ、蟻道を放棄してしまう。また、場合によっては、図９（ｂ）に示すように、残された蟻道は放棄せず、破壊された蟻道部分だけを放棄して、シロアリ駆除装置を迂回する新たな蟻道を形成する場合もある。
【００１１】
このように、シロアリの蟻道が変更されると、シロアリがシロアリ駆除装置の内部に侵入しないため、シロアリの駆除を行うことができない。
【００１２】
ところで、従来のシロアリ駆除装置１０１は、毒餌収納枠１０２と枠蓋１０５を同一の螺子で壁１００に固定するものであり、これらを取り付ける際には、作業者は、毒餌収容枠１０１や毒餌１０３、枠蓋１０５等を手で押さえながら螺子止めを行う必要がある。従って、作業者はシロアリ駆除装置１０１を壁１００に取り付ける作業に時間を要し、シロアリ駆除装置１０１を壁１００に取り付ける作業中にシロアリに与えるストレスは大きくなる。
【００１３】
また、毒餌１０３をシロアリが捕食し始めたか否かを点検する際に、枠蓋１０５を開いて毒餌１０３を検査する必要があり、また、毒餌１０３をシロアリ駆除剤に置き換える際にも、枠蓋１０５を開く必要がある。従って、蓋１０５を開く際に螺子を取り外す必要があるが、この螺子を取り外すと、枠蓋１０５と同時に毒餌収容枠１０２も外れてしまう。従って、作業者は、毒餌収容枠１０２を片手で持ちながら枠蓋１０５をそっと外す必要があり、作業に時間がかかる。また、毒餌収納枠１０２を手で押さえた際に、毒餌収納枠１０２が動き、毒餌収納枠１０２に連通している蟻道を壊す場合もある。従って、かかる作業中にシロアリに与えるストレスが大きくなる場合がある。
【００１４】
更に、従来のシロアリ駆除装置は、枠蓋１０５を開けた時に、毒餌の表面をシロアリが捕食しているか否はすぐに検査することが可能であるが、毒餌の裏面を検査する場合には、毒餌をいったん毒餌収納枠１０２から取り出す必要がある。従って、検査に数分程度の時間がかかり、検査時にシロアリに与えるストレスが極めて大きくなる場合がある。
【００１５】
上記のようにシロアリに大きなストレスが加わった場合、シロアリがシロアリ駆除装置１０１に寄りつかなくなる。そのため、従来のシロアリ駆除装置は、設置作業や検査・保守作業中にシロアリに大きなストレスが加わって、シロアリ駆除ができなくなってしまう場合があるという問題があった。
【００１６】
そこで、本発明の目的は、壁への取付が簡単に素早く行うことができ、毒餌の入れ替えや点検もシロアリに大きなストレスを与えることなく簡単に行うことが可能なシロアリ駆除装置を提供することを目的とする。
【００１７】
【課題を解決するための手段】
本発明に係るシロアリ駆除装置は、上部が開口する平枠状又は平箱状のベース部材と、前記ベース部材に脱着可能に装着される毒餌収納部材とを備えていることを特徴とする。
【００１８】
蟻道が形成された壁に本発明のシロアリ駆除装置を取り付ける場合、作業者は、まず壁に形成されたシロアリの蟻道をベース部材の幅だけ破壊する。そして、破壊した蟻道部分に、接着剤、粘着テープ、木螺子等によりベース部材を固定する。そして、毒餌収納筒内にシロアリ駆除剤を含浸させた毒餌を収納して、ベース部材の上部に毒餌収納部材を装着する。このように、ベース部材は毒餌収納部材とは別個に壁に取り付けることができる。また、ベース部材は、毒餌を収納するような大きな容積は必要ないため、極めて薄くすることができる。そのため、作業者は、簡単に素早くベース部材を壁に取り付けることができる。
【００１９】
また、シロアリ駆除装置内の毒餌をシロアリが捕食したか否かを検査する場合にも、ベース部材から毒餌収納部材を外すだけで毒餌の裏面を検査することができる。従って、検査した後にすぐに毒餌収納部材を装着することによって、数秒の時間で検査が終了することができる。
【００２０】
シロアリにより消費された古い毒餌を新しい毒餌に入れ替える場合にも、同様に、古い毒餌が入った毒餌収納部材を取り外した後に新しい毒餌の入った毒餌収納部材を装着するだけであり、この作業も数秒の時間があれば充分に終えることができる。
【００２１】
ここで、ベース部材と毒餌収納部材との接合構造は、ワンタッチで脱着可能な構造であればよい。また、毒餌収納部材は、筒状、有底筒状、錐状、半球状等、毒餌を収納する空間が確保できる形状であればよい。
【００２２】
また、本発明においては、前記ベース部材の表面には毒餌収納部材の端部と嵌合する嵌合口が形成されているともに、前記嵌合口には前記毒餌収納部材と螺合する螺子部が形成されており、前記毒餌収納部材は、一端部に前記嵌合口の螺子溝と螺合する螺子部が形成されているようにすることができる。
【００２３】
これにより、毒餌収納部材をベース部材の嵌合口に極めて容易に装着することが可能であり、毒餌収納部材をベース部材から取り外したり、毒餌収納部材をベース部材に装着する作業を極めて短時間で行うことが可能となる。
【００２４】
また、本発明においては、前記毒餌収納部材は筒状に形成されており、前記毒餌収納筒の開口部に脱着可能に装着される筒蓋を備えている構成にすることができる。
【００２５】
これにより、シロアリ駆除装置内の毒餌をシロアリが捕食したか否かを検査する場合にも、筒蓋を外すだけで内部の毒餌の表面を検査することができる。従って、毒餌の表面だけを検査してシロアリが毒餌を捕食していることを確認できれば、毒餌収納部材を取り外してまで検査する必要がないため、検査時にシロアリに対して与えるストレスを最小限とすることができる。
【００２６】
また、本発明においては、前記毒餌収納部材の前記筒蓋が装着される端部に、前記筒蓋と螺合する螺子部が形成されており、前記筒蓋には、前記毒餌収納部材と螺合する螺子部が形成されているようにすることができる。
【００２７】
これにより、筒蓋を毒餌収納部材から取り外したり、筒蓋を毒餌収納部材に装着する作業をワンタッチで極めて短時間で行うことが可能となる。
【００２８】
【発明の実施の形態】
以下、本発明の一実施形態について、図面を参照しながら説明する。
【００２９】
図１は本発明の実施形態に係るシロアリ駆除装置の斜視図、図２は本発明の実施形態に係るシロアリ駆除装置の側面破断面図、図３はベース部材の底部を構成するベース枠の斜視図、図４はベース部材の底部を構成するベース枠の平面図、図５はベース部材アセンブリの斜視図、図６はベース部材アセンブリの側面破断面図である。
【００３０】
図１〜７において、シロアリ駆除装置１は、家屋の壁、土台、柱等に取り付けられる方形平箱状のベース部材２、ベース部材２に脱着可能に装着された円筒状の毒餌収納部材３、及び、毒餌収納部材３の開口部に脱着可能に装着された円板状の筒蓋４を有している。
【００３１】
ベース部材２は、底部を構成する方形平板枠状のベース枠２ａと、ベース枠２ａの上面に装着されたベース天板２ｂと、ベース枠２ａ上面の中央部に貼着された誘引物質保持材２ｃとから構成されている。
【００３２】
ベース枠２ａは、方形平板状の外枠２ｄの中心に、誘引物質保持部材２ｃを貼着するための平板状の貼着板２ｅが設けられており、外枠２ｄの対角線に沿って、外枠２ｄと貼着板２ｅとは平板状の連結板２ｆにより連結されている。更に、貼着板２ｅの中央部分には、誘引物質保持材２ｃの誘引物質を、ベース枠２ａの底部の壁等に浸透させるために、開口部２ｇが形成されている。
【００３３】
外枠２ｄは内周部２ｄ’と外周部２ｄ”とで板厚が異なり、外周部２ｄ”の板厚は０．５ｍｍ、内周部２ｄ’の板厚は１ｍｍとされている。尚、連結板２ｆ及び貼着板２ｅの板厚も、内周部２ｄ’と同じ１ｍｍに形成されている。更に、外枠２ｄの外周縁に沿って、５ｍｍの高さの側板２ｈが垂直に立設されており、側板２ｈの板厚は０．５ｍｍとされている。
【００３４】
外枠２ｄの４つの角部付近には、外枠２ｄを壁等に固定する螺子を通すための固定螺子穴２ｉが穿孔されており、また、４つの連結板２ｆの中央部付近には、外枠２ｄを壁等に仮止めする螺子を通すための仮止螺子穴２ｊが穿孔されている。
【００３５】
ベース天板２ｂは、ベース枠２ａの方形枠状の側板２ｈの上端面を覆うように設けられている。そして、ベース天板２ｂ上には、ベース枠２ａの固定螺子穴２ｉに対向する位置に、固定螺子穴２ｉ’が穿孔されている。そして、固定螺子穴２ｉ’，２ｉを貫通して螺着される固定用螺子により、ベース天板２ｂはベース枠２ａに固定されるとともに、ベース枠２ａは壁等に固定される。
【００３６】
また、ベース天板２ｂの中央部には、円筒状の毒餌収納部材３が装着される開口部２ｋが形成されている。そして、開口部２ｋの周囲には、円筒状の突起部２ｌが形成されており、この突起部２ｌの内部には雌螺子２ｍが形成されている。
【００３７】
一方、毒餌収納部材３の一端部外壁には、雄螺子が形成されており、毒餌収納部材３は、突起部２ｌの内周側に螺着され固定されている。毒餌収納部材３のもう一方の側の端部外壁にも雄螺子が形成されている。そして、筒蓋４は、有底端円筒状に形成され、その筒内には雌螺子が形成されており、毒餌収納部材３のもう一方の側の端部に螺着されている。尚、筒蓋４の上面には、筒蓋４を取り外すときに回しやすくするための摘み４ａが突起状に形成されている。
【００３８】
以上のように構成された、本実施形態に係るシロアリ駆除装置について、以下、その設置方法について説明する。
【００３９】
図７は本実施形態に係るシロアリ駆除装置を壁に設置する工程を示す模式図である。
シロアリの蟻道５がある壁にシロアリ駆除装置１を設置する場合、作業者は、まず、ベース枠２ａを蟻道５の上に合わせ、ベース枠２ａを壁に設置した場合に、蟻道５とベース枠２ａの側板２ｈとが交差する箇所を特定する。そして、蟻道５と交差する箇所の側板２ｈ及び外枠２ｄの外周部２ｄ”を、ニッパ等により切断し、切り欠きを形成する。この際、側板２ｈと外枠２ｄの外周部２ｄ”は、ニッパ等により切りやすいように、他の外枠の部分よりは薄い板厚に形成されている。
【００４０】
次に、作業者は、ベース枠２ａを取り付ける領域の蟻道５を壊して除去する。そして、蟻道５を除去した部分の壁に、ベース枠２ａを当てて手で抑え、仮止螺子穴２ｊの一つに仮り止め用の仮止螺子６を通して、ベース枠２ａを壁に仮止めする（図７（ａ）参照）。この際、前述の側板２ｈの切り欠き部分を蟻道５の開口に合わせて設置するようにする。
【００４１】
次に、ベース枠２ａの上面にベース天板２ｂを覆い被せて装着し、４つの固定螺子穴２ｉ，２ｉ’に固定用の固定螺子７を通して、ベース天板２ｂをベース枠２ａに固定するとともに、ベース枠２ａを壁にしっかりと固定する（図７（ｂ）参照）。
【００４２】
そして、ベース天板２ｂの突起部２ｌに、毒餌収納部材３を螺着し、毒餌収収納部材３の筒内に毒餌８を収納する。最後に、毒餌収納部材３の上面に筒蓋４を螺着して、シロアリ駆除装置の設置が完了する（図７（ｃ）参照）。
【００４３】
このように、本実施形態に係るシロアリ駆除装置１によれば、まず、ベース枠２ａ及びベース天板２ｂからなるベース部材２を壁に固定してから、そのベース部材２に、毒餌収納部材３を螺着する構成としたことにより、作業者が壁にシロアリ駆除装置１を設置する作業が極めて容易となり、短時間の間に設置作業を終了することができる。従って、設置作業中にシロアリに与えるストレスが少なく、シロアリ駆除装置１の設置後に、シロアリが蟻道を放棄したり、シロアリ駆除装置を避けて新しい蟻道を形成したりすることを極力防止することができる。
【００４４】
尚、ここでは、例として、シロアリの蟻道が形成された壁にシロアリ駆除装置１を設置する場合を例にとって説明するが、シロアリ駆除装置を設置する箇所は、このような場所に限られるものではなく、例えば、柱内部にシロアリが被害を及ぼしている場合には、その柱の表面などに設置して、被害箇所まで孔をあけ貫通させて、シロアリを誘引する場合もある。また、壁や柱に限らず、家屋の基礎や塀、樹木等に設置する場合もある。
【００４５】
次に、設置したシロアリ駆除装置１内の毒餌８をシロアリが捕食し始めたか否かを検査する際には、作業者は、まず、筒蓋４を外して毒餌８を点検する。ここで、毒餌８の表面を既にシロアリが捕食していた場合には、この時点で検査を完了し、筒蓋４を閉止する。これにより、作業者は数秒で点検を終えることが可能であり、シロアリに与えるストレスを極めて小さくすることができる。
【００４６】
一方、毒餌８の表面をシロアリがまだ捕食していない場合には、作業者は、次に毒餌８の裏面を検査する必要がある。この場合、作業者は、まず、筒蓋４を閉止した後、毒餌収納部材３をベース部材２から取り外して、毒餌８の裏面を点検する。そして、すぐに、毒餌収納部材３をベース部材２に装着して点検を終了する。これにより、作業者は数秒で毒餌８の裏面の点検を終えることが可能であり、シロアリに与えるストレスを極めて小さくすることができる。
【００４７】
また、シロアリにより消費された古い毒餌８を新しい毒餌に入れ替える場合にも、筒蓋４を開けて、古い毒餌８を取り出し、代わりに、新しい毒餌８を毒餌収納部材３の筒内に収納して、筒蓋４を閉止するという作業、又は、古い毒餌８の収納された毒餌収納部材３を新しい毒餌８の収納された毒餌収納部材３に取り替える作業を行えばよい。これにより、作業者は数秒で古い毒餌８を新しい毒餌８に詰め替える作業を終えることが可能であり、シロアリに与えるストレスを極めて小さくすることができる。
【００４８】
【発明の効果】
以上のように、本発明によれば、シロアリ駆除装置の設置作業、毒餌をシロアリが捕食したか否かの点検作業、毒餌をシロアリ駆除剤に詰め替える作業を、ワンタッチで極めて短時間の間に行うことが可能となる。従って、シロアリに対して与えるストレスを最小限に抑えることができ、シロアリがシロアリ駆除装置を忌避することを防止することが可能となる。その結果、シロアリの駆除を効果的に効率よく行うことが可能となる。
【図面の簡単な説明】
【図１】本発明の実施形態に係るシロアリ駆除装置の斜視図である。
【図２】本発明の実施形態に係るシロアリ駆除装置の側面破断面図である。
【図３】ベース部材の底部を構成するベース枠の斜視図である。
【図４】ベース部材の底部を構成するベース枠の平面図である。
【図５】ベース部材アセンブリの斜視図である。
【図６】ベース部材アセンブリの側面破断面図である。
【図７】本実施形態に係るシロアリ駆除装置を壁に設置する工程を示す模式図である。
【図８】従来のシロアリ駆除装置を壁に取り付ける際の取付状態を表す斜視図である。
【図９】シロアリ駆除装置を設置することによってシロアリが蟻道を放棄した場合と新たな蟻道を迂回して形成した場合を示す図である。
【符号の説明】
１　シロアリ駆除装置
２　ベース部材
２ａ　ベース枠
２ｂ　ベース天板
２ｃ　誘引物質保持部材
２ｄ　外枠
２ｄ’　内周部
２ｄ”　外周部
２ｅ　貼着板
２ｆ　連結板
２ｇ　開口部
２ｈ　側板
２ｉ、２ｉ’　固定螺子穴
２ｊ　仮止螺子穴
２ｌ　突起部
２ｍ　雌螺子
３　毒餌収納部材
４　筒蓋
５　蟻道
６　仮止螺子
８　餌
１００　壁
１０１　シロアリ駆除装置
１０２　餌収納枠
１０２ａ、１０２ｂ、１０５ａ、１０５ｂ　螺子穴
１０３　餌
１０４　抑板
１０５　枠蓋
１０６　蟻道
【図１】
2004135551.tif 000003
【図２】
2004135551.tif 000004
【図３】
2004135551.tif 000005
【図４】
2004135551.tif 000006
【図５】
2004135551.tif 000007
【図６】
2004135551.tif 000008
【図７】
2004135551.tif 000009
【図８】
2004135551.tif 000010
【図９】
2004135551.tif 000011